(57)【要約】【課題】就餌して魚が引く時に浮子の浮力と慣性と水との粘性による抵抗が生じ、魚が違和感を感じ、途中で餌を離すことが多い。また、浮子止めを浮子から離すか、浮子止めを使用しない釣法があるが潮流、風の影響や遠いポイントでは魚の棚に餌を正確に届けにくい。【解決手段】魚が就餌したとき道糸につけた浮子止めが微少な力で浮子から離脱すれば、抵抗無しに就餌し易くなる。浮子の貫通孔（環）の周囲に円筒状の永久磁石を内蔵し、道糸の浮子止めにはごく小さい強磁性体の物質を半固定し、この磁石と強磁性体が磁力で緩やかに保持する構造とし、魚の引く力で離脱すれば棚に餌を安定して届けられる仕掛けになる。更に磁石が浮子止めに作用する磁力を変化する構造にすれば保持する力が可変でき状況に即応できる。また浮子の上部に道糸を通す貫通孔（環）を設けアタリで浮子が傾くのを見れば微少なアタリもとれる。【選択図】図１
2004275164.tif 000002
【特許請求の範囲】
【請求項１】
道糸を通す中通し浮子の貫通孔または環付き浮子の環に永久磁石（または強磁性体）を内蔵し、道糸に付ける浮子止めに強磁性体（または永久磁石）を付加し魚の微少の引きによって、浮子止めが浮子から離脱することを特徴とする釣魚用浮子および浮子止め。
【請求項２】
浮子止めに作用する力を可変可能な構造にし、浮子止めを保持する力が可変な請求項１の釣魚用浮子および浮子止め。
【発明の詳細な説明】
【０００１】
【発明の属する技術分野】
本発明は釣魚用の浮子に係わり、魚が就餌するときの抵抗を少なくし、違和感を感じさせないための高感度な浮子および、浮子止めに関する。
【０００２】
【従来の技術】
【特許文献１】特許第３２７３３６８
【特許文献２】特許第３３００９１８
図２、図３の如く一般的に上物釣り中の浮子を使った「フカセ釣り」において浮子の中心に垂直に貫通孔を設けて道糸を通す「中通し浮子」か、浮子の下方に孔を開け道糸を通す「環付浮子」が用いられる。浮子と道糸を固定しない「遊動仕掛け」では道糸に付けた浮子止めが浮子に達するまで水中に仕掛けが沈んで棚が設定され停止する。その後、魚が就餌し、浮子ごと仕掛けを引いて浮子が沈みアタリがでる。この時、浮子の慣性と水との粘性による抵抗が生じ、魚が違和感を持ち、就餌をためらい針掛りする前に餌を離すことが多い。このため竿を引いて浮子から浮子止めを離すか又は、浮子止めを使用しないで抵抗を減らす釣法がある。
【０００３】
【発明が解決しようとする課題】
浮子の抵抗を減少するには表面積の少ない小型化が効果的であるが、遠投ができずかつ視認が困難である。浮力を極力少なくしたり、浮子を沈める「沈め探り釣り」等が行なわれているが浮子が負荷になることは変わりない。また、浮子止めを浮子から離すか、浮子止めを使用せずに釣りを行う釣法は小さいウキ止めでは見にくい遠いポイントや潮流、風の影響で加減が難しく魚の棚に餌を届け安定させるには困難なことが多い。
【０００４】
【問題を解決するための手段】
本発明は浮子の浮力と慣性と、水との粘性による抵抗をなくし、魚が仕掛けを引くと道糸につけた浮子止めが僅かの力で浮子を離脱し、就餌し易くさせ針掛かりする確率を上げるものである。この手段として、球形浮子の貫通孔の周囲に円筒状の永久磁石を内蔵し、道糸には浮子止めとして小さい強磁性体を棚の変更ができるようにスライド可能に半固定する。仕掛けが沈下し浮子の永久磁石と浮子止めの強磁性体が近接し、磁力で緩やかに吸引保持し、棚に餌を保持する。その後魚が僅かに引く力で浮き止めが離脱する構造とする。浮子に強磁性体を浮子止めに小さい磁石を設けても同じ効果が期待できるが一般的でない。アタリの取り方は一瞬浮子が沈下するか、又は糸を通じて竿先に感じるか、糸の張り方を見て判断する。また磁石なしで浮子の中心の貫通孔の直径と略略同一に浮子止めの大きさを設定し、アタリによって浮子止めが浮子の貫通孔を離脱する構造もある。
【０００５】
釣りの状況つまり魚の活性や波、潮、水深や仕掛けに応じて、強磁性体の浮子止めに作用する磁力を可変可能な構造にし、浮子止めを保持する力が可変でき釣りの状況に即応可能とする。浮子内部に永久磁石を２個又は永久磁石と強磁性体を組み合わせて、浮き本体又は一部を可動させ各磁性体の相対位置を可変し浮き止めに作用する磁力を可変する。
【０００６】
浮子止めを道糸の適度に離れた２カ所に付け、餌に近い方の浮子止めには磁石の吸引力の比較的弱い透磁率の小なる物又は比較的微少な強磁性体を付け、弱いアタリでも離脱する。一方、餌に遠い方の浮子止めには磁石の吸引力の比較的強い透磁率の大なる物又は、比較的大きい強磁性体をまたは、一般的な浮子止めの貫通孔より大きめの物を付け離脱難くする。これによって魚が十分に食い込んでからは浮子に大きなアタリが見られる。また、棒浮子や環付ウキの場合は浮子の下方の「環」かよりもどしに球状浮子と同じく道糸を通す環にドウナツ状又は円筒状の永久磁石を内蔵する。
【０００７】
【発明の実施の形態】
以下、本発明の釣魚用浮子を図面について詳記する。図２、３は浮子を用いた本発明の説明に用いる従来からある仕掛けの図である。図１および図４から図３０は本発明による釣魚用浮子およびウキ止めに関する図である。
【０００８】
先ず図２は上物釣りと言われる一般的な仕掛けの全体図である。釣竿１に付けたリール２から釣糸５にガイド３、浮子止め４と浮子６を通し、その先によりもどし９と錘７と釣針（餌）８がある。
【０００９】
図３は従来から一般的に上物釣りに用いられる球形の中通し浮子周辺の図である。浮子の中心に縦方向に貫通孔６１がありこれに道糸５が貫通され下側によりもどし９が上に浮子止め４がある。水中の仕掛けが沈下すると浮子止め４が貫通孔６１に引っかかり沈下が停止する。浮子の下側には浮子の浮力を調整し安定させる金属等のバランサー６ｂが内蔵されてある。魚のアタリがあると浮子ごと沈下する。
【００１０】
図１は本発明による浮子６と周辺の図である。下方のバランサー６ｂには永久磁石６ａが内蔵されて埋め込まれている。仕掛けが沈下して強磁性体を含む浮子止め４ａが永久磁石６ａに到達すると磁力によって沈下は停止する。魚のアタリによって仕掛けが引かれると磁力を振り切って下方に浮子止め４ａが引かれ浮子６が沈下する前に浮子６から離脱する。従って道糸がフリーになり浮子６はほとんど負荷にならず魚は違和感を感じずに十分就餌し針掛りする。アタリは僅かに浮子が沈むのを見るか、就餌後に引かれる道糸を見るか、竿にくるアタリを見て合わせる。永久磁石６ａの磁力の強さと内周の直径、貫通孔６１の内径および、浮子止め４ａの強磁性体の体積と透磁率等とで吸引力は変化しアタリ時の微少な抵抗は加減される。従って、抵抗は浮子の浮力、大きさ等にほぼ関係なくなる。
【００１１】
さらに、十分就餌後魚が走ると浮子止め４ａより透磁率の大きいか体積の大きい強磁性体の浮子止め４ｂが永久磁石６ａに到着すると大きい磁力が働き今度は浮子ごと沈下し明確にアタリを確認することもできる。
【００１２】
図４、図５、図６は本発明の浮子止めの例を示す。浮子止め４ａと４ｂの拡大図である。仕掛けの沈下により引かれ浮子止め４ａは浮子の内部に入るため軽く小さくする必要がある。図４は従来からあるゴムまたは柔軟なプラスチック製の浮子止めの表面に鉄やニッケル等の強磁性体のリング４ａを嵌めた物である。図５はゴムの中に強磁性体の粉粒を含んだ物である。図６は従来からあるゴムまたは柔軟なプラスチック製の浮子止めまたは、紐状の浮子止め４ａを２個使用し円筒状の強磁性体４ａ２を挟み込んだ物である。図６の場合、両側の浮子止め４ａを使用せず、円筒状の強磁性体４ａ２を締め付け道糸に固定しても使えるが道糸に傷が付く可能性があり感心しない。また、下側の浮子止め４ａがなく円筒状の強磁性体４ａ２が道糸とフリーでも良いが潮流との影響で引かれ、浮子６を下方に離脱したときには竿を引いて元に戻すことが困難になる。
【００１３】
図７は棒浮子に適用した一例である。棒浮子６０の下部によりもどし６ｄを内蔵し環付きにし、その環の内部にドーナツ状または円筒状の永久磁石６ｄ１を設ける。図８はよりもどし部分を拡大した図である。永久磁石６ｄ１付きの環部分は回転する構造を持ち棒浮子６０に自由度を持たせる。回転構造のない棒浮子には図９の永久磁石１０ａを設けた回転可能なスナップ付よりもどし１０を用いる。
【００１４】
図１０はナナメ浮子に適用した一例である。貫通孔６１が道糸に対して平行に近くなるので普通の略略垂直に立つ球形浮子に比較し道糸及びウキ止め４ａが通りやすくなる。図１１は浮子の貫通孔６１の上部開口部６２を拡張し浮子止め４ａがスムースに貫通孔６１に進入し易くした例である。
【００１５】
図１２は着水時に貫通孔６１が略略水平になるようバランサー６ｃを図のごとく配置し、さらに貫通孔６１の針に近い方のみ細く絞り、竿側は比較的広くする。浮子止め４ａは仕掛けが沈下すると細く絞った箇所で停止する。アタリがあれば浮子６は垂直に近く立つので浮子止め４ａは離脱する。この場合永久磁石や浮子止め４ａは強磁性体の必要は特にない。
【００１６】
図１３は球形の環付浮子に図８の永久磁石付きのよりもどし６ｄを付加した例である。更に、図１４は球形浮子の上側に本発明による図８の永久磁石６ａを付加したよりもどし６ｄを付けた浮子である。通常は浮子はほぼ垂直に立っているが僅かの魚のアタリにも図１５の如く傾斜する。アタリにより浮子が水中に引き込まれるより微少な力でアタリが認識可能である。更に強く引き込むと前記と同様にウキ止め４ａがよりもどし６ｄを離脱する。
【００１７】
図１４、図１５の浮子の略略喫水線付近を境に異なる色にすれば、垂直の状態とアタリにより傾斜した時の釣り人から見た色が変化し僅かのアタリが明確に認識可能となる。更に中通し浮子と同じく竿を立た時に浮子が手前に傾斜し、同時に磁力により適度の抵抗が感じられる。この環を上に付ける方式は従来の磁力のない浮子とウキ止めでも色の変化によるアタリの明確化に適する。下部のバランサー６ｅの上下方向の位置を調整すればアタリによる傾斜の感度を調整可能となる。上方にすれば感度が上がり、下方にすれば安定するが感度が下がる。
【００１８】
図１６は夜間の釣り用に浮子の上部に発光素子挿入器６ｇを設け発光素子（ケミホタル）が挿入可能な構造にした。発光素子挿入器６ｇには水平方向に貫通孔６ｊを設けこの周囲に円筒状の永久磁石６ａを埋設し、同様にしてアタリの感度を上げ、かつアタリにより傾斜した時に発光素子の光が減光し釣り人からアタリが明確に認識可能となる。当然、昼間は発光素子１１を抜いて使用可能であり前記と同様な使用法がある。
【００１９】
図１７は前記図１６の発光素子挿入器６ｇを拡大した断面図である。浮子６の上部に発光素子挿入器６ｇを接続部品６ｍを介して回転可能に装着し、永久磁石ホルダー６ｋを水平に取り付け、貫通孔６ｊに道糸を通す。上部の発光素子挿入孔６ｈには発光素子１１を挿入可能である。このときＯリング６ｎは発光素子１１を抜けないよう銜える。
【００２０】
図１８、図１９は夜間と昼の釣りに兼用可能な本発明の効果を備えた浮子である。図１８は球形浮子の上部に円筒状の窪み発光素子挿入孔６ｈを設け発光素子１１を挿入可能にし、下部のバランサー６ｆ下部に水平方向の貫通孔６ｉを設け、それに図９のスナップ付よりもどし１０を装着し夜間用とした。また、図１９は図１８と同じ浮子を昼用に発光素子１１をはずし中通し浮子として用いた図である。
【００２１】
図２０は浮子全体の体積が変化し浮力が可変可能になる浮力調整浮子の下部に永久磁石６ａとバランサー６ｂを装着し本発明による同様の効果を付け加えた物である。
【００２２】
図２１は強磁性体の浮子止めに作用する磁力を可変し、釣りの状況つまり魚の活性や波、潮に応じて、ウキ止めを吸引する力を加減するものである。浮子をトップ６ｐとボトム６ｑに分割し回転可能にし、トップ６ｐに固定した細管６ｒを設け、Ｏリング６ｎ１とＯリング６ｎ２で内部に浸水を防ぐ状態で連結する。細管６ｒに固定した薄い円筒状の比較的円周の短い磁石６ａ１をボトム６ｑに固定した同様の比較的円周の長い磁石６ａ２に同一中心に水平面に内挿する。この時、磁石６ａ１と磁石６ａ２は図２２、図２３の如く水平方向に着磁された物を用いる。両磁石は図２４、図２５の如く水平に内挿されると図２４では同一磁極が接するので反発しあい磁界は内側には強く、図２５では反対に異磁極が接するため同一の磁極になり磁界は内側では弱くなる。従って浮子の上部と下部の回転位置により細管６ｒの内部では磁界の強弱が変化し、浮子止めに作用する吸引力が変化し、魚から見た抵抗が調整される。この時、磁石６ａ１は磁石６ａ２より高さが低いかまたは若干下方に配置されるのが最適である。
【００２３】
図２６は磁石６ａ２の代わりに強磁性体でできたリング１３を磁石６ａ１の周りに配置し、磁石６ａ１が回転することにより細管６ｒ中の磁界の強弱が変化する。リング１３の形状にかかわらず磁石６ａ１が回転により周りに配置した円周上の磁性体の不均一性により細管６ｒ中の磁界の強弱が変化する。図２７，図２８は磁石６ａ１とリング状の強磁性体１３ａが図のように離接する構造にし、細管６ｒ内部の磁界を変化させる。
【００２４】
図２９は回転する機構を下部に設けた。磁石ホルダーを兼ねたバランサー６ｂ１に磁石６ａ１を固定し、Ｏリング６ｎ２とＯリング６ｎ３で水の進入を防ぎ回転可能にし、円筒状の磁石６ａ１と磁石６ａ２を図２４、図２５の如く水平かつ同心円上に位置させ細管６ｒ内部の磁力を可変したものである。
【００２５】
図３０は図２９の構造に加え浮子のトップ６ｐとボトム６ｑに分割し、トップ６ｐに固定された下部に雄ねじを設けた細管６ｒ１とボトム６ｑの内部に設けられた雌ねじ６ｓ１が螺合しトップ６ｐとボトム６ｑが回転により離接することで体積が変化し浮力が可変可能になる浮力調整機能を付加した物である。
【００２６】
図１の磁石６ａを電線を巻いたコイルとし浮子内部に電池を設け電流を流して磁界を発生させて浮き止め４ａに吸引力を持たせ同様の働きを可能とする。また図２０の磁石６ａを電線を巻いたコイルとし、トップ６ｐの回転によって細管にで可変抵抗等を回転連動しコイルに流す電流を加減し吸引力を可変する構造を持たせる。
【００２７】
【発明の効果】
本発明は、魚が就餌し、仕掛けを引くと道糸につけた浮子止めが僅かの力で浮子を離脱するため、浮子の浮力と慣性と、水との粘性による抵抗がなく、魚に違和感を感じさせず、確実に就餌させ針掛りさせる。更に、磁力による吸引力を可変にし釣りの状況に即応可能にした。状況が悪く魚が食い渋っている時も特に釣果を上げられる。
【図面の簡単な説明】
【図１】本発明による浮子全体と仕掛けの断面図である。
【図２】一般的なふかせ釣りの仕掛けの全体図である。
【図３】一般的なふかせ釣りの浮子の図である。
【図４】本発明による浮子止めの一実施例の拡大図である。
【図５】本発明による浮子止めの一実施例の拡大図である。
【図６】本発明による浮子止めの一実施例の拡大図である。
【図７】本発明による浮子の一実施例の外観図である。
【図８】本発明によるよりもどしの一実施例の外観図である。
【図９】本発明によるよりもどしの一実施例の外観図である。
【図１０】本発明による浮子の一実施例の断面図である。
【図１１】本発明による浮子の一実施例の断面図である。
【図１２】本発明による浮子の一実施例の断面図である。
【図１３】本発明による浮子の一実施例の外観図である。
【図１４】本発明による浮子の一実施例の外観図である。
【図１５】本発明による浮子の一実施例の外観図である。
【図１６】本発明による浮子の一実施例の外観図である。
【図１７】本発明による浮子の一実施例の拡大した断面図である。
【図１８】本発明による浮子の一実施例の断面図である。
【図１９】本発明による浮子の一実施例の断面図である。
【図２０】本発明による浮子の一実施例の断面図である。
【図２１】本発明による浮子の断面図である。
【図２２】本発明に用いる磁石と磁力線の断面図である。
【図２３】本発明に用いる磁石とその磁力線の断面図である。
【図２４】本発明に用いる磁石とその磁力線の断面図である。
【図２５】本発明に用いる磁石とその磁力線の断面図である。
【図２６】本発明に用いる磁気回路部品の一実施例の外観図である。
【図２７】本発明に用いる磁石と磁力線の一実施例の断面図である。
【図２８】本発明に用いる磁石と磁力線の一実施例の断面図である。
【図２９】本発明による浮子の一実施例の断面図である。
【図３０】本発明による浮子の一実施例の断面図である。
【符号の説明】
１                        釣竿
２                      リール
３                      ガイド
４、４ａ、４ｂ            浮子止め
４ａ１、４ａ２、４ａ３      強磁性体
５                      道糸
６                      浮子
６０                    棒浮子
６１、６ｊ、６ｉ          貫通孔
６２                    開口部
６ａ、６ａ１、６ａ２、６ａ、６ｄ１、１０ａ  永久磁石
６ｂ、６ｃ、６ｅ、６ｆ                      バランサー
６ｄ                    よりもどし
６ｇ                    発光素子挿入器
６ｈ                    発光素子挿入孔
６ｋ                    永久磁石ホルダー
６ｍ                    接続部品
６ｎ、６ｎ１、６ｎ２、６ｎ３                Ｏリング
６ｐ                    トップ
６ｑ                    ボトム
６ｒ、６ｒ１            細管
７                      錘
８                      釣針（餌）
９                      よりもどし
１０                    スナップ付よりもどし
１１                    発光素子（ケミホタル）
１２                    喫水線
１３、１３ａ            強磁性体
【図１】
2004275164.tif 000003
【図２】
2004275164.tif 000004
【図３】
2004275164.tif 000005
【図４】
2004275164.tif 000006
【図５】
2004275164.tif 000007
【図６】
2004275164.tif 000008
【図７】
2004275164.tif 000009
【図８】
2004275164.tif 000010
【図９】
2004275164.tif 000011
【図１０】
2004275164.tif 000012
【図１１】
2004275164.tif 000013
【図１２】
2004275164.tif 000014
【図１３】
2004275164.tif 000015
【図１４】
2004275164.tif 000016
【図１５】
2004275164.tif 000017
【図１６】
2004275164.tif 000018
【図１７】
2004275164.tif 000019
【図１８】
2004275164.tif 000020
【図１９】
2004275164.tif 000021
【図２０】
2004275164.tif 000022
【図２１】
2004275164.tif 000023
【図２２】
2004275164.tif 000024
【図２３】
2004275164.tif 000025
【図２４】
2004275164.tif 000026
【図２５】
2004275164.tif 000027
【図２６】
2004275164.tif 000028
【図２７】
2004275164.tif 000029
【図２８】
2004275164.tif 000030
【図２９】
2004275164.tif 000031
【図３０】
2004275164.tif 000032